(57)【要約】      （修正有）【課題】設置や撤収を簡単かつ速やかに行うことができ、しかも、太陽光パネルが直接強風に晒されても太陽光パネル取付架台ごと持ち上げられるおそれの少ない太陽光パネル取付架台及び太陽光パネル取付装置を提供する。【解決手段】太陽光パネル取付架台は、ベース部２と、ベース部２に固定される複数の第１脚柱部３及び複数の第２脚柱部４と、複数の第１脚柱部３に固定された第１支持部材６１と、複数の第２脚柱部４に固定された第２支持部材６２と、第１支持部材６１と第２支持部材６２とに固定された複数のパネル保持用レール１４と、錘部材５とを有する。又、ベース部２は、その上面に前記脚柱部３、４の取付穴と、錘部材５を設置する錘設置部を備えている。【選択図】図１
0003194277.tif 000002
【実用新案登録請求の範囲】
【請求項１】
太陽光パネル取付架台であって、
コンクリート製のベース部と、このベース部上に取付けられるコンクリート製の第１脚柱部と、前記第１脚柱部と所定間隔を隔てて前記ベース部上に取付けられ前記第１脚柱部よりも高さの低いコンクリート製の第２脚柱部と、これらの第１および第２脚柱部の並び方向である第１方向に対して直交する第２方向に所定間隔を隔てて並び、かつ前記第１方向に互いに平行に延ばされた複数のパネル保持部材とを有し、
前記ベース部は、その上面に形成され前記第１および第２脚柱部を取り付ける取付穴と、錘部材を設置可能な錘設置部とを備え、
前記第１および第２脚柱部は、それぞれ、前記取付穴へ挿入可能な挿入部を備え、当該挿入部が前記取付穴に挿入された状態で、当該挿入部と前記取付穴の側面との間に固定材が充填されることにより、前記ベース部に対して一体的に固定されていることを特徴とする太陽光パネル取付架台。
【請求項２】
請求項１に記載の太陽光パネル取付架台において、
前記ベース部は、当該ベース部の軽量化を図る軽量化用穴を備えていることを特徴とする太陽光パネル取付架台。
【請求項３】
請求項２に記載の太陽光パネル取付架台において、
前記錘設置部は、当該錘設置部に設置された前記錘部材の全部又は一部が前記軽量化用穴に入り込み可能に形成されていることを特徴とする太陽光パネル取付架台。
【請求項４】
請求項２又は３に記載の太陽光パネル取付架台において、
前記軽量化用穴は、前記ベース部の上面から下面に貫通し、互いに対向する２つの内側面を備え、
前記錘設置部は、前記対向する２つの内側面に形成され前記錘部材を載置させる錘載置部を備えていることを特徴とする太陽光パネル取付架台。
【請求項５】
請求項１〜４の何れか一項に記載の太陽光パネル取付架台において、
前記錘設置部に設置される錘部材を、更に備え、
前記錘部材は、互いに対向する２つの外側面と、前記２つの外側面に形成され前記錘設置部に載置される被載置部とを備え、
前記被載置部は、互いの距離が下方に行くに従い漸次小さくなるように構成され、
前記錘載置部は、互いの距離が下方に行くに従い漸次小さくなるように構成されていることを特徴とする太陽光パネル取付架台。
【請求項６】
請求項１〜５の何れか一項に記載の太陽光パネル取付架台において、
前記パネル保持部材を下方側から支持する支持部材を、更に備え、
前記第１脚柱部と第２脚柱部とは、それぞれ、前記第２方向に沿って所定間隔を隔てて配置された少なくとも２つであり、
前記支持部材は、前記２つの第１脚柱部に跨るように配置されて前記第１脚柱部に固定された第１支持部材と、前記２つの第２脚柱部に跨るように配置されて前記第２脚柱部に固定された第２支持部材とを備え、
前記パネル保持部材は、前記第１支持部材と前記第２支持部材とに跨るように配置されていることを特徴とする太陽光パネル取付架台。
【請求項７】
請求項１〜４の何れか一項に記載の太陽光パネル取付架台を複数、備えた太陽光パネル取付装置であって、
前記太陽光パネル取付架台は、前記第１方向に沿って、複数、並べられて第１方向列を形成するとともに、前記第２方向に沿って、複数、並べられて第２方向列を形成するように配置され、
前記第１方向列における少なくとも最前列又は最後列の前記太陽光パネル取付架台は、前記錘設置部に前記錘部材が設置されていることを特徴とする太陽光パネル取付装置。
【考案の詳細な説明】
【技術分野】
【０００１】
本考案は、太陽光パネルを所定角度で支持するための太陽光パネル取付架台及び太陽光パネル取付架台を備えた太陽光パネル取付装置に関するものである。
【背景技術】
【０００２】
太陽光パネルを支持するための太陽光パネル取付架台として、従来、特許文献１に開示されるものが知られている。この太陽光パネル取付架台は、矩形枠形の取付フレームと、この取付フレーム内に一定間隔を隔てて横架される複数の取付ビームと、前記取付フレームを設置面に対して所定角度で支持する支柱とから構成されており、前記取付フレームに、所定枚数の太陽光パネルが並べられた状態で支持されるように構成されている。
【０００３】
この太陽光パネル取付架台は、前記取付フレーム、取付ビームおよび支柱が何れもアングル材等の型鋼により構成されており、設置は、コンクリート基礎を設置面に対して施工し、このコンクリート基礎の基礎ボルトとナットとで前記支柱をコンクリート基礎に締結した上で、この支柱に取付フレーム等を取付けていくことにより行われる。
【先行技術文献】
【特許文献】
【０００４】
【特許文献１】特開２０００−１０４３号公報
【考案の概要】
【考案が解決しようとする課題】
【０００５】
しかしながら、特許文献１のように形鋼を主な材料して構成される従来の太陽光パネル取付架台は、材料コストが比較的高く、また、多くの部材が必要なため運搬も不便である。また、コンクリート基礎を施工する必要が有ることに加え、取付フレーム等をボルトナットや溶接等の手段を用いて組立てる必要があるため、施工に手間がかかり、その分、施工コストも高くつく。さらに、近年見られる遊休地を利用した太陽光発電設備、例えばゴルフ場跡や工業団地の空き地などに設置される大規模な太陽光発電設備では、所定期間後に設備を撤去すること（つまり土地の返却）が条件とされるものが多く、上記のように、コンクリート基礎が必要な従来の太陽光パネル取付架台では、設備の撤去（土地を元の状態に戻して返却するため）に過大な労力とコストを要することとなる。
【０００６】
又、太陽光パネルが直接強風に晒されると、太陽光パネルに揚力が生じて太陽光パネル取付架台ごと持ち上げられるおそれがある。
【０００７】
本考案は、上記の事情に鑑みてなされたものであり、設置や撤収を簡単かつ速やかに行うことができ、しかも、太陽光パネルが直接強風に晒されても太陽光パネル取付架台ごと持ち上げられるおそれの少ない太陽光パネル取付架台及び太陽光パネル取付装置を提供することを目的とする。
【課題を解決するための手段】
【０００８】
上記課題を解決するために、本考案の太陽光パネル取付架台は、太陽光パネル取付架台であって、コンクリート製のベース部と、このベース部上に取付けられるコンクリート製の第１脚柱部と、前記第１脚柱部と所定間隔を隔てて前記ベース部上に取付けられ前記第１脚柱部よりも高さの低いコンクリート製の第２脚柱部と、これらの第１および第２脚柱部の並び方向である第１方向に対して直交する第２方向に所定間隔を隔てて並び、かつ前記第１方向に互いに平行に延ばされた複数のパネル保持部材とを有し、前記ベース部は、その上面に形成され前記第１および第２脚柱部を取り付ける取付穴と、錘部材を設置可能な錘設置部とを備え、前記第１および第２脚柱部は、それぞれ、前記取付穴へ挿入可能な挿入部を備え、当該挿入部が前記取付穴に挿入された状態で、当該挿入部と前記取付穴の側面との間に固定材が充填されることにより、前記ベース部に対して一体的に固定されていることを特徴とする。
【０００９】
この構成によれば、第１および第２脚柱部は、それぞれ、取付穴へ挿入可能な挿入部を備え、当該挿入部が取付穴に挿入された状態で、挿入部と取付穴の側面との間に固定材が充填されることにより、ベース部に対して一体的に固定されるため、設置や撤収を簡単かつ速やかに行うことができる。
【００１０】
しかも、ベース部は錘部材を設置可能な錘設置部を備えているため、この錘設置部に錘部材を設置することで、例えば太陽光パネルが直接強風に晒されても太陽光パネル取付架台ごと持ち上げられて動くおそれの少ないものにできる。
【００１１】
前記ベース部は、当該ベース部の軽量化を図る軽量化用穴を備えている構成にすることが好ましい。
【００１２】
この構成によれば、ベース部は軽量化用穴を備えているため、持ち運び等の取り扱いが容易になり、設置や撤収をより一層、簡単かつ速やかに行うことができる。
【００１３】
前記錘設置部は、当該錘設置部に設置された前記錘部材の全部又は一部が前記軽量化用穴に入り込み可能に形成されている構成にすることが好ましい。
【００１４】
この構成によれば、錘部材とベース部との全体の重心をベース部の下方側に形成でき、横荷重に対してベース部をより安定した状態にできる。これにより、例えば太陽光パネル取付架台が強風を受けても動くおそれが、より一層、少ないものになる。又、錘部材がベース部から外れるおそれの少ないものにできる。
【００１５】
前記軽量化用穴は、前記ベース部の上面から下面に貫通するように形成し、互いに対向する２つの内側面を備え、前記錘設置部は、前記対向する２つの内側面に形成され前記錘部材を載置させる錘載置部を備えている構成とすることが好ましい。
【００１６】
この構成によれば、錘部材が２つの内側面の間に入り込んで設置され、載置された錘部材が錘載置部を動くおそれが少なくなり、太陽光パネル取付架台が強風を受けても動き難いものにできる。
【００１７】
前記錘設置部に設置される錘部材を、更に備え、前記錘部材は、互いに対向する２つの外側面と、前記２つの外側面に形成され前記錘設置部に載置される被載置部とを備え、前記被載置部は、互いの距離が下方に行くに従い漸次小さくなるように構成され、前記錘載置部は、互いの距離が下方に行くに従い漸次小さくなるように構成されていることが好ましい。
【００１８】
この構成によれば、錘部材が錘載置部に位置決めされて設置されるとともに、載置された錘部材が錘載置部を滑り動くおそれが少なくなり、太陽光パネル取付架台が強風を受けても動き難いものにできる。
【００１９】
前記パネル保持部材を下方側から支持する支持部材を、更に備え、前記第１脚柱部と第２脚柱部とは、それぞれ、前記第２方向に沿って所定間隔を隔てて配置された少なくとも２つであり、前記支持部材は、前記２つの第１脚柱部に跨るように配置されて前記第１脚柱部に固定された第１支持部材と、前記２つの第２脚柱部に跨るように配置されて前記第２脚柱部に固定された第２支持部材とを備え、前記パネル保持部材は、前記第１支持部材と前記第２支持部材とに跨るように配置されている構成とすることが好ましい。
【００２０】
この構成によれば、第１支持部材と第２支持部材とによって、より多くのパネル保持部材を支持できる。これにより、大きい太陽光パネル或いは数多くの太陽光パネルが、パネル保持部材で安定して保持できる。
【００２１】
又、本考案は、上述の何れかの太陽光パネル取付架台を複数、備えた太陽光パネル取付装置であって、前記太陽光パネル取付架台は、前記第１方向に沿って、複数、並べられて第１方向列を形成するとともに、前記第２方向に沿って、複数、並べられて第２方向列を形成するように配置され、前記第１方向列における少なくとも最前列又は最後列の前記太陽光パネル取付架台は、前記錘設置部に前記錘部材が設置されていることを特徴とする太陽光パネル取付装置を提供する。
【００２２】
この構成によれば、第１方向の風に対して最も強い風力を受ける最前列又は最後列の太陽光パネル取付架台が錘設置部に錘部材が設置されているため、強風を受けても太陽光パネル取付架台が動くおそれが少なくなる。その一方、最前列又は最後列によって風力が弱められる第１方向列における他の列の太陽光パネル取付架台は錘設置部に錘部材を載置せずに済ませることができ、設置作業等を簡単なものにできるとともに、錘部材以外のベース部等を共通化でき、軽量化及び低コスト化を図ることができる。
【考案の効果】
【００２３】
以上のように、本考案の太陽光パネル取付架台及び太陽光パネル取付装置は、太陽光発電設備の設置や撤収を簡単かつ速やかに行うことができ、しかも、太陽光パネルが直接強風に晒されても太陽光パネル取付架台ごと持ち上げられるおそれが少ない。
【図面の簡単な説明】
【００２４】
【図１】本考案の一実施の形態に係る太陽光パネル取付架台を示す斜視図である。
【図２】図１の太陽光パネル取付架台の平面図である。
【図３】図１の太陽光パネル取付架台の正面図である。
【図４】図１の太陽光パネル取付架台のベース部の平面図である。
【図５】図４のＶ−Ｖ線断面図である。
【図６】図４のＶＩ−ＶＩ線断面図である。
【図７】第１脚柱部（第２脚柱部）とベース部の要部とを拡大した分解斜視図である。
【図８】錘部材の斜視図である。
【図９】図８の錘部材の正面図である。
【図１０】太陽光パネル取付架台の変形例の斜視図である。
【図１１】太陽光パネルを取り付けた太陽光パネル取付架台を複数、並べた太陽光パネル取付装置の平面図である。
【考案を実施するための形態】
【００２５】
以下、本考案の好ましい実施形態について図面を参照して説明する。図１は、本考案の一実施の形態に係る太陽光パネル取付架台の斜視図、図２は、図１の太陽光パネル取付架台の平面図、図３は、図１の太陽光パネル取付架台の正面図である。
【００２６】
第１実施形態の太陽光パネル取付架台（以下、架台と略す）１００は、地面に載置される架台本体１０と、この架台本体１０に固定される一対の支持部材６と、支持部材６に支持された複数（この実施形態では６本）のパネル保持用レール１４（本考案のパネル保持部材に相当する）と、錘部材５とを含み、パネル保持用レール１４により太陽光パネル１を傾斜姿勢で保持するように構成されている。
【００２７】
架台本体１０は、一定の厚みを有する扁平かつ平面視長方形のコンクリート製のベース部２と、このベース部２上に取付けられるコンクリート製の第１脚柱部３と、第１脚柱部３と所定間隔を隔ててベース部２上に取付けられるコンクリート製の第２脚柱部４とを備える。この架台本体１０は、当例では１ｔ〜２ｔの質量を有しており、従って、地面に載置するだけで安定的にその位置を維持することが可能である。
【００２８】
なお、方向関係を明確にするために、以下の説明では、架台本体１０を基準として、その短手方向を第１方向、長手方向を第２方向として各部材の説明を行うことにする。また、ベース部２の断面図において鉄筋は省略している。
【００２９】
第１脚柱部３は、図７に示すように、略四角柱状の部材であり、下端部に下向きに延びる挿入部３１を備えている。又、挿入部３１には、凹部３１ａが設けられている。
【００３０】
第２脚柱部４は、第１脚柱部３よりも高さが低く形成されている。第２脚柱部４は、高さが低いこと以外は、第１脚柱部３と同構成を採っており、下端部に挿入部４１（図７に図示）を備えている。又、この挿入部４１には、凹部４１ａ（図７に図示）が設けられている。
【００３１】
ベース部２は、図４に示すように、その上面のうち、第１方向の一方側の端部に第１取付部２１を有し、他方側の端部に第２取付部２０を有している。そして、前記第１脚柱部３が第１取付部２１に取付けられる一方で、第２脚柱部４が第２取付部２０に取付けられている。
【００３２】
詳しく説明すると、図４、図５及び図７に示すように、第１取付部２１は、第２方向に所定間隔を隔てて並ぶ３つの取付穴２１ａを有している。又、各取付穴２１ａの内側面に及び内底面に、凹溝２１ｂが設けられている。
【００３３】
そして、この取付穴２１ａの内側面及び内底面に第１脚柱部３が支持されることにより、第１脚柱部３がベース部２に対して起立姿勢で組付けられ、この状態で、前記挿入部３１と取付穴２１ａの側面との間にモルタル（本考案の固定材の一例である）が充填される。これによって、第１脚柱部３がベース部２に固定一体化されている。
【００３４】
第２取付部２０の構成も第１取付部２１と同様であり、３つの取付穴２０ａを有し、各取付穴２０ａの側面には、凹溝２０ｂが設けられており、第２脚柱部４も第１脚柱部３と同様にしてベース部２に固定一体化されている。
【００３５】
また、図５に示すように、各取付部２１の取付穴２１ａは、その内側面における対向する１対の内側面の間隔が上側から下側に向かって漸減するテーパ状に形成されている。一方、各脚柱部３、４の挿入部３１、４１は、それらの外側面における互いに向かい合う外側面の距離が上側から下側に向かって漸次大きくなるテーパ状に形成されている。
【００３６】
又、ベース部２は、図４、図６に示すように、このベース部２の軽量化を図るための軽量化用穴２２と、錘部材５を設置するための錘設置部２３とを備えている。
【００３７】
軽量化用穴２２は、この実施形態では、長手方向（第２方向）に並ぶように形成された２つからなる。各軽量化用穴２２は、ベース部２の上面から下面に貫通するように形成されている。
【００３８】
又、図６に示すように、各軽量化用穴２２は、互いに対向する２つの内側面２２ａが上面から下方に行くに従い互いの距離が漸次小さくなるテ−パ状になるように形成されている。
【００３９】
錘設置部２３は、後述の錘部材５の頭部５１を受容する頭部受容部２３ａと、後述の錘部材５の被載置部を載置する錘載置部２３ｂとから構成されている。
【００４０】
頭部受容部２３ａは、各軽量化用穴２２における第２方向に対向し内側面２２ａ、２２ａの上縁部の一部に、ベース部２の上面から凹まされるように形成されている。
【００４１】
尚、この頭部受容部２３ａは、設けなくてもよく、適宜変更できる。例えばベース部２の上面に錘部材５の頭部５１を置くようにしてもよい。又、その場合に、例えばベース部２の上面における錘部材５の頭部５１を置く位置に、予め印が表示されているのが好ましく、これにより、錘部材５を軽量化用穴２２に位置決めして配置できる。このようにして、ベース部２の上面に錘部材５の頭部５１を置くことで、１つの軽量化用穴２２に複数の錘部材５を並べて配置することも可能になる。
【００４２】
錘載置部２３ｂは、各軽量化用穴２２における上記２つの内側面２２ａ、２２ａの一部から構成されており、互いの距離が下方に行くに従い漸次小さく形成されている。
【００４３】
錘部材５は、この実施形態では、１つの架台１００（ベース部２）に２つ、用いられる。各錘部材５は、図８に示すように、錘本体部５０と、錘本体部５０の上方側に形成された頭部５１と、錘本体部５０に形成された被載置部５２とを備えている。
【００４４】
錘本体部５０は、略直方体状を呈し、長手方向（第２方向）で互いに対向する２つの外側面の互いの距離が下方に行くに従い漸次小さくなるテーパ状に形成されている。
【００４５】
頭部５１は、ベース部２における錘設置部２３の頭部受容部２３ａに嵌挿する大きさの略直方体状に形成されている。
【００４６】
被載置部５２は、錘本体部５０における上記長手方向の両外側面から構成されており、互いの距離が下方に行くに従い漸次小さく形成されている。
【００４７】
このように構成された錘部材５は、図１〜図３に示すように被載置部５２がベース部２における錘設置部２３の錘載置部２３ｂに載置される。これにより、錘本体部５０が軽量化用穴２２に入り込むとともに、頭部５１がベース部２における錘設置部２３の頭部受容部２３ａに嵌挿する。又、この実施形態では、頭部５１の下面が頭部受容部２３ａの下面と当接した状態になる。
【００４８】
支持部材６は、パネル保持用レール１４を下方側から支持するもので、例えばステンレス製の溝型鋼からなる第１支持部材６１及び第２支持部材６２から構成されている。第１支持部材６１は、３つの第１脚柱部３に跨るように配置され、その状態で各第１脚柱部３に取付金具（図示せず）を介して固定されている。
【００４９】
第２支持部材６２は、第１支持部材６１と同構成を採っており、３つの第２脚柱部４に跨るように配置され、その状態で各第２脚柱部４に取付金具（図示せず）を介して固定されている。
【００５０】
パネル保持用レール１４は、図１、図２に示すように、第１方向に互いに平行に延びる、例えばステンレス製の溝型鋼であり、第１支持部材６１と第２支持部材６２に跨った状態で、第１支持部材６１と第２支持部材６２とのそれぞれに取付金具（図示せず）を介して固定されている。これによりパネル保持用レール１４は、前記脚柱部３、４の高低差に応じた角度、当例では、地面（設置面）に対して約１０°の傾斜角度で、第１支持部材６１と第２支持部材６２に下方から支持されている。
【００５１】
そして、当例では、第２方向で隣接する２つのパネル保持用レール１４上に４枚の太陽光パネル１が第１方向に並べられるようにして、パネル保持用レール１４に取付金具（図示せず）を介して固定されている。
【００５２】
又、この実施形態では、パネル保持用レール１４の下側の端部には、パネル保持用レール１４に跨った状態でパネル受け部材１６が固定されており、パネル保持用レール１４に沿って配置された太陽光パネル１のうち、最も下位に位置する太陽光パネル１がこのパネル受け部材１６により受けられている。尚、パネル受け部材１６は、例えばステンレス製の山型鋼である。
【００５３】
このように構成された第１実施形態の架台１００は、次のようにして所定の敷地内に設置することができる。
【００５４】
まず、ベース部２、各第１脚柱部３、各第２脚柱部４、支持部材６、パネル保持用レール１４、パネル受け部材１６及び錘部材５を敷地に搬入する。この際、ベース部２は一定の厚みを有する部材であり、各脚柱部３、４は角柱部材であるため、スペース効率がよく、複数個ずつ積み重ねた状態で運搬することが可能である。そのため、効率良く運搬することができる。
【００５５】
次に、ベース部２に第１脚柱部３、第２脚柱部４を取付ることにより架台本体１０を構成する。具体的には、各脚柱部３、４の挿入部３１、４１をベース部２の取付穴２１ａ、２０ａに挿入することにより、各脚柱部３、４をベース部２に対して起立姿勢で組付ける。この状態で各取付穴２１ａ、２０ａの凹溝２１ｂにモルタルを充填して各脚柱部３、４とベース部２とを固定一体化する。
【００５６】
次に、２つの錘部材５がベース部２の錘設置部２３に設置される。より詳しくは、例えば錘部材５の被載置部５２がベース部２における錘設置部２３の錘載置部２３ｂに載置される。その際、被載置部５２及び錘載置部２３ｂがテーパ状になっているため、自重で錘部材５の被載置部５２が錘載置部２３ｂを滑るようにして、錘載置部２３ｂに錘本体部５０が軽量化用穴２２に入り込むとともに、頭部５１がベース部２における錘設置部２３の頭部受容部２３ａに嵌挿し、錘部材５が錘設置部２３の所定位置に位置決めされて設置される。
【００５７】
次に、前記取付金具を用いて支持部材６を架台本体１０（第１脚柱部３、第２脚柱部４）に固定するとともに、前記パネル保持用レール１４を支持部材６に固定し、パネル保持用レール１４にパネル受け部材１６をボルトナット等で固定することにより、架台１００の設置が完了する。
【００５８】
以上のような架台によれば、架台本体１０（ベース部２および各脚柱部３、４）がコンクリート製であるため、形鋼を主な材料として全体が構成される従来の架台に比べると安価に製作することができる。しかも、従来のようなコンクリート基礎を施工することなく、敷地内に載置するだけで安定的に設置することが可能なため、架台の設置や撤収を簡単かつ速やかに行うことが可能となる。特に、コンクリート基礎が不要となることで、例えば遊休地を利用して一定期間だけ太陽光発電設備を設置するような場合でも、架台を撤去するだけで、敷地をほぼ元の状態のまま速やかに返却できるという利点がある。
【００５９】
また、架台１００の設置に際しては、上記の通り、架台本体１０を分解した状態で運搬可能なため、個々の部材の占有スペースを抑えて効率良く敷地内に搬入することができる。また、ベース部２の取付穴２１ａ、２０ａに各脚柱部３、４の挿入部３１，４１を挿入してモルタルで固定するだけで架台本体１０の組立が可能なため、当該架台本体１０の組立も非常に簡単に行うことができる。この場合、各脚柱部３、４をベース部２に対して起立姿勢で組付ければ、上記の通り、自ずと各脚柱部３、４がベース部２に対してその所定位置に位置決めされて、各挿入部３１，４１と各取付穴２１ａ、２０ａの側面との間に、モルタル充填用の適切な隙間が確保される。そのため、第１脚柱部３と第２脚柱部４との位置関係がずれたままで当該脚柱部３、４がベース部２に対して固定されてパネル保持用レール１４等の固定に支障が生じたり、若しくは架台毎にパネル保持用レール１４の傾斜角度が微妙に異なるといった不都合が生じることを防止することができる。しかも、各挿入部３１，４１の側面に凹部３１ａ、４１ａが形成される一方、各取付穴２１ａ、２０ａの側面に凹溝２１ｂ、２０ｂが形成され、これによってベース部２と各脚柱部３、４とがモルタルを介して上下方向に確実に係合する構成となっているので、架台本体１０の組立後は、ベース部２と各脚柱部３、４とを強固に一体化することができる。
【００６０】
又、架台１００が設置された後は、錘設置部２３に錘部材５が設置されているため、例えば太陽光パネル１が直接強風に晒されても太陽光パネル取付架台１００ごと持ち上げられて動くおそれの少ないものにできる。
【００６１】
尚、本考案の太陽光パネル取付架台は、錘部材５を有しないものとしても実施できる。以下に、錘部材５を有しない形態の太陽光パネル取付架台２００について、図１０に基いて説明する。
【００６２】
この図１０に示す太陽光パネル取付架台２００は、架台本体１０と、支持部材６と、パネル保持用レール１４（本考案のパネル保持部材に相当する）とを備えている。ただし、この架台２００は、上述のような錘部材５を有していない。
【００６３】
この架台本体１０、支持部材６、パネル保持用レール１４は、上述のものと同構成を採っている。従って、この架台２００は、錘部材５を有していない点以外は、上述のものと同じである。
【００６４】
このように構成された太陽光パネル取付架台２００は、強い風が当たらないような場所に設置される際には、そのまま設置されて使用され、一方、強い風が当たる場所に設置される際には、ベース部２の錘設置部２３に、上述の錘部材５と同様なものが適宜設置されて使用される。
【００６５】
従って、太陽光パネル取付架台２００が設置される場所に応じて錘部材を用いればよく、強い風が当たらないような場所に設置される場合は、低コストで設置できる。
【００６６】
次に、太陽光パネル取付装置３００について，図１１に基いて説明する。太陽光パネル取付装置３００は、複数の太陽光パネル取付架台１００、２００を備えている。
【００６７】
詳しくは、複数の太陽光パネル取付架台１００、２００は、太陽光パネル１が装着された状態で、前記第１方向に沿って、複数、並べられて第１方向列３００ｈ〜３００ｎを形成するとともに、前記第２方向に沿って、複数、並べられて第２方向列３００ａ〜３００ｇを形成するように配置されている。
【００６８】
又、第１方向列における少なくとも最前列３００ａ又は最後列３００ｇの太陽光パネル取付架台１００は、錘設置部２３に錘部材５が設置されている。この実施形態では、第１方向列における最前列３００ａと２番目の列３００ｂの太陽光パネル取付架台１００は、錘設置部２３に錘部材５が設置されている。
【００６９】
一方、第１方向列における最前列３００ａと２番目の列３００ｂ以外の太陽光パネル取付架台２００は、錘設置部２３に錘部材５が設置されていない。
【００７０】
このように構成された太陽光パネル取付装置３００では、第１方向の風に対して最も強い風力を受ける最前列３００ａ又は最後列３００ｇの太陽光パネル取付架台１００が錘設置部２３に錘部材５が設置されているため、強風を受けても太陽光パネル取付架台１００が動くおそれが少なくなる。その一方、最前列３００ａ又は最後列３００ｇによって風力が弱められる第１方向列における他の列の太陽光パネル取付架台２００は錘設置部２３に錘部材を載置せずに済ませることができ、設置作業を簡単なものにできる。又、錘部材以外のベース部等を共通化でき、軽量化及び低コスト化を図ることができる。
【００７１】
尚、図１１に示す上記太陽光パネル取付装置３００において、太陽光パネル取付架台１００、２００における第１脚柱部３（図１、図１０参照）側を前方側（３００ａ側）とし、第１脚柱部３に対して第２脚柱部４（図１、図１０参照）を後方側（３００ｇ側）とした場合に、太陽光パネル取付架台１００、２００に装着された太陽光パネル１は、前方側から後方側に漸次低くなっているため、前方側から後方側に向かって風が吹くと、同じ強さの風が後方側から前方側に向かって吹く場合よりも大きな揚力が太陽光パネル１に生じる。従って、このような場合に、少なくとも第１方向列における最前列の太陽光パネル取付架台１００の錘設置部２３に錘部材５を設置するのが、好ましい。
【００７２】
より好ましくは、太陽光パネル取付装置３００における少なくとも第１方向列の最前列３００ａと最後列３００ｇと、更には、第２方向列の両端側の列３００ｈ、３００ｎとの太陽光パネル取付架台１００の錘設置部２３に錘部材５が設置されるようにする。これにより、太陽光パネル取付装置３００は、第１方向の風及び第２方向の風に対して、換言すれば太陽光パネル取付装置３００に対するいずれの方向からの風に対しても動くおそれが少なくなる。
【００７３】
ところで、以上説明した太陽光パネル取付架台は、本考案に係る太陽光パネル取付架台の好ましい実施形態の例示であって、その具体的な構成は、本考案の要旨を逸脱しない範囲で適宜変更可能である。
【００７４】
尚、上記実施形態では、第１脚柱部３と第２脚柱部４とは、それぞれ、３つから構成されたが、この形態のものに限らず、１つ又は２つ、或いは４つ以上から構成でき、適宜変更できる。
【００７５】
また、実施形態の太陽光パネル取付架台は、パネル保持用レール１４の傾斜角度（太陽光パネル１の傾斜角度）が１０°であるが、この傾斜角度は、太陽光発電が効率良く行われるように、太陽光パネル１が設置される地点に応じて設定されるものである。従って、１０°に限定されるものではなく、これ以外の角度であってもよい。
【００７６】
また、実施形態中では言及していないが、太陽光パネル取付架台の設置に際しては、ベース部２の軽量化用穴２２の内側において、木製又は金属製の杭を地面に打ち込むことで太陽光パネル取付架台の位置ずれを防止するようにしてもよい。このようにすれば、太陽光パネル取付架台の位置ずれをより高度に抑制することができる。
【符号の説明】
【００７７】
１  太陽光パネル
２  ベース部
３  第１脚柱部
４  第２脚柱部
５  錘部材
６  支持部材
１０  架台本体
１４  パネル保持用レール
１６  パネル受け部材
２２  軽量化用穴
【図１】
0003194277.tif 000003
【図２】
0003194277.tif 000004
【図３】
0003194277.tif 000005
【図４】
0003194277.tif 000006
【図５】
0003194277.tif 000007
【図６】
0003194277.tif 000008
【図７】
0003194277.tif 000009
【図８】
0003194277.tif 000010
【図９】
0003194277.tif 000011
【図１０】
0003194277.tif 000012
【図１１】
0003194277.tif 000013